(57)【要約】      （修正有）【課題】種貝が収容される収容部の開口部の幅を簡単に調整、固定でき、製造工程が簡素で量産性に優れ、海苔網への着脱も容易で、耐久性、取り扱い性に優れる海苔養殖用種付け袋及び海苔養殖用種付け構造体を提供する。【解決手段】上端側に開口部１５を有し種貝が収容される収容部１６と、開口部の周縁に設けられ正面視して両側に挿入口２０を有する保形材挿通部１９と、可撓性を有し保形材挿通部に挿通されて開口部の形状を長円形に保持する保形材２１と、保形材の下方を収容部１６の厚さ方向に貫通し収容部の外部で結束されて開口部の短径方向の幅を調整、固定する結束バンド２５とを有し、結束バンドは、帯状に形成され片面に多数の係止部２７が配置されたストラップ部２６と、ストラップ部の基端にあってストラップ部の挿通孔２９及び係止部の一つが係止される被係止部３０を備えたヘッド部２８とを有する。【選択図】図１
0003214226.tif 000002
【実用新案登録請求の範囲】
【請求項１】
種貝を収容し、海苔網の下方に吊り下げられる海苔養殖用種付け袋であって、
上端側に開口部が形成され前記種貝が収容される収容部と、前記開口部の周縁に設けられ正面視して両側に開口した挿入口を有する保形材挿通部と、可撓性を有し前記保形材挿通部に挿通されて前記開口部の形状を長円形に保持する保形材と、前記保形材の下方を前記収容部の厚さ方向に貫通し前記収容部の外部で結束されて前記開口部の短径方向の幅を調整して固定する結束バンドとを有し、前記結束バンドは、帯状に形成され片面に多数の係止部が配置されたストラップ部と、該ストラップ部の基端にあって前記ストラップ部が挿通される挿通孔及び該挿通孔の内部に形成され前記係止部の一つが係止される被係止部が設けられたヘッド部とを有することを特徴とする海苔養殖用種付け袋。
【請求項２】
請求項１記載の海苔養殖用種付け袋において、前記収容部は、複数の通水孔を有することを特徴とする海苔養殖用種付け袋。
【請求項３】
請求項１又は２記載の海苔養殖用種付け袋を用いた海苔養殖用種付け構造体であって、前記海苔網の下方に張設される取付紐を有し、該取付紐には該取付紐の長手方向に間隔を空けて複数の前記海苔養殖用種付け袋が連結されていることを特徴とする海苔養殖用種付け構造体。
【請求項４】
請求項３記載の海苔養殖用種付け構造体において、前記取付紐と前記結束バンドを連結する連結用結束バンドを有することを特徴とする海苔養殖用種付け構造体。
【考案の詳細な説明】
【技術分野】
【０００１】
本考案は、海苔の養殖において、海苔網への種付けを行うための海苔養殖用種付け袋及び海苔養殖用種付け構造体に関する。
【背景技術】
【０００２】
従来、海苔の養殖においては、海苔網への海苔の種付け作業が行われている。この海苔の種付け作業には種貝が用いられる。種貝とは、牡蠣殻等の種付け用貝殻に海苔の種（糸状体）を繁殖させたものであり、この種貝を種付け袋（落下傘）の中に入れ、海水中に張られた海苔網の下に吊り下げることにより、海苔の胞子が種貝から海水中に放出され、その胞子が海苔網に付着して種付けが行われる。
この種付け作業に用いられるものとして、例えば、特許文献１には、袋が容易に破れないように開口部を補強した海苔養殖用の種付け袋が開示されている。
【先行技術文献】
【特許文献】
【０００３】
【特許文献１】特開２００４−８１３３号公報
【考案の概要】
【考案が解決しようとする課題】
【０００４】
しかしながら、特許文献１では、種付け袋の両側辺近傍で、かつ折り返し部の下方に各々設けられた２つの紐通し孔に吊り下げ紐が通され、２つの紐通し孔同士が近接するように縛られている。これにより、袋（収容部）の下縁部に対して縛られた開口部が平面視して略直交する状態となり、袋全体がいびつな形状となるため、開口部や折り返し部の下方の袋本体に設けられた窓からの通水性が低下し易く、胞子が種貝から海水中へ放出され難くなるという問題があった。
また、袋の上端の開口部の幅が広過ぎると、搬送の際や水流等の影響で袋が傾いた際に、開口部から種貝が落下する恐れがあり、逆に開口部の幅が狭過ぎると、種貝の収容作業性に欠けると共に、海水の流通性も低下し、海水への胞子の放出も妨げられ易くなる。従って、開口部の幅のばらつきを抑え、開口部の幅を所定の範囲に収める必要がある。しかし、吊り下げ紐は、手作業によって縛るため、袋毎の結び目の位置を一定の範囲に保つことは困難であり、開口部の幅がばらつき易く、取付けに手間がかかるという問題があった。
【０００５】
本考案は、かかる事情に鑑みてなされたもので、種貝が収容される収容部の開口部の幅を簡単に調整して固定することができ、製造工程が簡素で生産性に優れ、低コスト化を図ることができ、海苔網への着脱作業も容易で、耐久性、取り扱い性に優れる海苔養殖用種付け袋及び海苔養殖用種付け構造体を提供することを目的とする。
【課題を解決するための手段】
【０００６】
前記目的に沿う第１の考案に係る海苔養殖用種付け袋は、種貝を収容し、海苔網の下方に吊り下げられる海苔養殖用種付け袋であって、
上端側に開口部が形成され前記種貝が収容される収容部と、前記開口部の周縁に設けられ正面視して両側に開口した挿入口を有する保形材挿通部と、可撓性を有し前記保形材挿通部に挿通されて前記開口部の形状を長円形に保持する保形材と、前記保形材の下方を前記収容部の厚さ方向に貫通し前記収容部の外部で結束されて前記開口部の短径方向の幅を調整して固定する結束バンドとを有し、前記結束バンドは、帯状に形成され片面に多数の係止部が配置されたストラップ部と、該ストラップ部の基端にあって前記ストラップ部が挿通される挿通孔及び該挿通孔の内部に形成され前記係止部の一つが係止される被係止部が設けられたヘッド部とを有する。
【０００７】
第１の考案に係る海苔養殖用種付け袋において、前記収容部は、複数の通水孔を有することが好ましい。
【０００８】
前記目的に沿う第２の考案に係る海苔養殖用種付け構造体は、第１の考案に係る海苔養殖用種付け袋を用いた海苔養殖用種付け構造体であって、前記海苔網の下方に張設される取付紐を有し、該取付紐には該取付紐の長手方向に間隔を空けて複数の前記海苔養殖用種付け袋が連結されていることが好ましい。
【０００９】
第２の考案に係る海苔養殖用種付け構造体において、前記取付紐と前記結束バンドを連結する連結用結束バンドを有することが好ましい。
【考案の効果】
【００１０】
第１の考案に係る海苔養殖用種付け袋は、種貝が収容される収容部の開口部の短径方向の幅を結束バンドにより簡単に調整して、ワンタッチで固定できるので、手作業でも開口部の短径方向の幅を一定の範囲に保つことができ、寸法のばらつきを低減できる。この結果、製造工程を簡素化して生産性を向上させ、低コスト化を図ることができる。また、種貝の収容作業性に優れ、種貝が開口部から落下する可能性も低減して、種貝から放出される胞子を開口部から海水中にスムーズに放出して海苔網への種付けを効率的に行うことができる。さらに、結束バンドが、帯状に形成され片面に多数の係止部が、例えば、鋸刃状に配置されたストラップ部を有するので、ストラップ部が外力によって破損し難く、耐久性に優れる。
収容部が複数の通水孔を有する場合、収容部の内部と、周囲の海水との間の通水性を向上させることができ、海苔養殖用種付け袋の姿勢を安定化させ、種貝から放出される胞子を通水孔からも海水中に放出させることができ、海苔網の広範囲に効率的に種付けを行うことができる。
【００１１】
第２の考案に係る海苔養殖用種付け構造体は、海苔網の下方に張設される取付紐の長手方向に間隔を空けて複数の海苔養殖用種付け袋が連結されていることにより、海苔網に対し、一度に複数の海苔養殖用種付け袋をまとめて着脱することができ、種付け作業の効率化を図ることができる。
取付紐と結束バンドを連結する連結用結束バンドを有する場合、結束バンドに対して連結用結束バンドをワンタッチで簡単に固定することができ、連結用結束バンドによって取付紐から海苔養殖用種付け袋の開口部までの距離（海苔養殖用種付け袋の吊下げ高さ）を容易に調整して、種貝から放出される胞子を開口部から海水中に確実に放出することができる。
【図面の簡単な説明】
【００１２】
【図１】（Ａ）は本考案の一実施の形態に係る海苔養殖用種付け袋の斜視図であり、（Ｂ）は同海苔養殖用種付け袋の収容部及び保形材挿通部を示す正面図である。
【図２】同海苔養殖用種付け袋の要部拡大側断面図である。
【図３】同海苔養殖用種付け袋を用いた海苔養殖用種付け構造体の正面図である。
【図４】同海苔養殖用種付け袋を用いた海苔養殖用種付け構造体の使用状態の正面図である。
【図５】（Ａ）、（Ｂ）は同海苔養殖用種付け袋における変形例の説明図である。
【考案を実施するための形態】
【００１３】
続いて、添付した図面を参照しつつ、本考案を具体化した実施の形態につき説明し、本考案の理解に供する。
図１〜図４に示すように、本考案の一実施の形態に係る海苔養殖用種付け袋１０は、海苔の養殖において、海水１１中に複数枚（例えば３０枚）重ねて張られる海苔網１２の下に吊り下げられることにより、収容された種貝１８から海苔の胞子を海水１１中に放出し、その胞子を海苔網１２に付着させて種付けを行うものである。
図１（Ａ）、図２に示すように、海苔養殖用種付け袋１０は、低密度ポリエチレン（ＬＤＰＥ）等の合成樹脂フィルムで矩形状に形成された表シート１３と裏シート１４からなり、上端側の開口部１５を除く三方が封止された収容部１６を有している。収容部１６の大きさは適宜、選択することができるが、例えば縦１４０ｍｍ×横１４０ｍｍとすれば、図３、図４に示すように、牡蠣殻等を利用した種貝１８（例えば、１〜２個）を収容することができる。また、表シート１３及び裏シート１４の厚さは、材質等に応じて適宜、選択することができるが、例えば９０μｍ程度であれば、種付け期間中に破れることなく種貝１８を保持することができる。
【００１４】
図１（Ａ）、図２に示すように、開口部１５の周縁には収容部１６と一部重なるように中空（筒状）の保形材挿通部１９が設けられており、正面視して保形材挿通部１９の両側には、図１（Ａ）、（Ｂ）に示すように、外部に開口（連通）する挿入口２０が設けられている。そして、保形材挿通部１９の内部には、図１（Ａ）、図２に示すように、可撓性を有し開口部１５の形状を長円形に保持する保形材２１が挿通されている。この保形材挿通部１９は、図２に示すように、三方が封止された表シート１３と裏シート１４の開放側端部（上端部）を例えば２０ｍｍ程度、収容部１６の外側に折り返し、その折り返し部２２の下端側を表シート１３と裏シート１４に溶着部２３で溶着して形成することができる。このとき、保形材挿通部１９の両側に溶着されない部分を残すことにより、保形材挿通部１９（溶着部２３）の両側に挿入口２０を形成することができ、この挿入口２０を利用して、保形材挿通部１９に保形材２１を挿通することができる。
なお、本実施の形態では、収容部１６の下辺と平行な一条の溶着部２３で溶着を行ったが、複数条の溶着部で溶着を行ってもよいし、収容部１６の幅方向に適宜間隔をあけて断続的に溶着を行ってもよい。
【００１５】
図１（Ａ）、図２に示すように、保形材２１は、平面視して開口部１５の形状が長円形となるように保形材挿通部１９に沿って環状に配置されるが、開口部１５の形状を保持できる可撓性を有していればよい。保形材２１としては、例えば、ポリエチレンや塩化ビニル樹脂等の合成樹脂で形成された線材や金属製の芯材の外周を合成樹脂で被覆したもの（例えば、直径２〜３ｍｍ程度）が好適に用いられる。
また、保形材２１の下方には、図２に示すように、収容部１６の幅方向中央部で表シート１３及び裏シート１４をそれぞれ貫通する吊下げ孔２４が設けられている。そして、収容部１６を厚さ方向に貫通するように吊下げ孔２４に挿通された結束バンド２５が、収容部１６の外部で結束され環状となっている。これにより、長円形の開口部１５の短径方向の幅ｗが所定の幅に固定される。
【００１６】
図１（Ａ）、図２に示すように、結束バンド２５は、帯状に形成されたストラップ部２６の片面に断面三角形状等に形成された多数の係止部２７（例えば、鋸刃状）が配置されたものである。また、ストラップ部２６の基端（一端側）にはヘッド部２８が設けられており、ヘッド部２８にはストラップ部２６の他端側が挿通される挿通孔２９が形成されると共に、挿通孔２９の内部に係止部２７の一つが選択的に係止される爪状の被係止部３０が形成されている。よって、吊下げ孔２４を貫通した結束バンド２５のストラップ部２６をヘッド部２８に挿通するだけで、結束バンド２５をワンタッチで環状に結束して収容部１６に取り付けることができ、誰でも簡単に開口部１５の短径方向の幅ｗが略一定となるように固定することができる。なお、ストラップ部２６の幅が３ｍｍ程度の結束バンド２５を用いることにより、使用時に負荷が加わってもストラップ部２６が千切れ難く、耐久性に優れるので好ましいが、ストラップ部２６の幅は、例えば、１．５〜５ｍｍ程度の範囲で適宜、選択することができる。また、結束バンドの係止部と被係止部が、弛緩可能な構造となっている場合、開口部１５の短径方向の幅ｗを簡単に調整することができ、着脱も容易で作業性に優れる。なお、開口部１５の短径方向の幅ｗは、例えば２０〜３０ｍｍ程度とすることにより、収容部１６に収容した種貝１８が開口部１５から外部に落下し難く、また、種貝１８から放出される胞子を開口部１５から海水１１中にスムーズに放出して海苔網１２への種付けを確実に行うことができる。
【００１７】
なお、吊下げ孔２４を保形材２１と溶着部２３との間に設けることにより、吊下げ孔２４に挿通される結束バンド２５のストラップ部２６が保形材２１の下面側に当接し易く、保形材２１をストラップ部２６で下方から支持することができる。この結果、吊下げ状態での海苔養殖用種付け袋１０の姿勢が安定し、吊下げ孔２４に余計な負荷がかかり難く、破損を防止できる。
【００１８】
さらに、図１（Ａ）、（Ｂ）、図２に示すように、表シート１３及び裏シート１４（即ち、収容部１６）の高さ方向中央より上側位置には、それぞれ収容部１６の幅方向に間隔を空けて、例えば直径１０ｍｍの通水孔３２が４つずつ設けられている。これにより、収容部１６の内部と、周囲の海水１１との間の通水性が向上し、海苔養殖用種付け袋１０の姿勢を安定化させることができる。また、種貝１８から放出される胞子を開口部１５だけでなく、通水孔３２からも海水１１中に放出させて、海苔網１２の広範囲に種付けを行うことができる。なお、通水孔３２の形状、数、配置は、適宜、選択することができる。特に、図２に示すように、通水孔３２の配置が、表シート１３側と裏シート１４側で一致している場合、加工が容易で、通水性にも優れるが、必ずしも一致している必要はない。
【００１９】
海苔養殖用種付け袋１０の製造に当たっては、表シート１３と裏シート１４の上端側の開口部１５を除く三方が封止され、表シート１３と裏シート１４に予め吊下げ孔２４と通水孔３２が設けられた収容部１６（袋体）を用意する。次に、表シート１３と裏シート１４の開放側端部（上端部）を収容部１６の外側に折り返し、その折り返し部２２の下端側を両側の挿入口２０を残して表シート１３と裏シート１４に溶着し、保形材挿通部１９を形成する。次に、保形材挿通部１９（溶着部２３）の両側に形成された挿入口２０から保形材挿通部１９に保形材２１を挿通し、開口部１５を長円形に整形する。次に、収容部１６を貫通するように、表シート１３と裏シート１４の吊下げ孔２４に結束バンド２５のストラップ部２６を挿通し、収容部１６の外部で結束して開口部１５の短径方向の幅を調整して固定することにより、海苔養殖用種付け袋１０が得られる。
【００２０】
以上のように構成された海苔養殖用種付け袋１０を用いた海苔養殖用種付け構造体３３について説明する。
図３、図４に示すように、海苔養殖用種付け構造体３３は、海苔網１２の下方に張設される取付紐３４を有し、取付紐３４には、取付紐３４の長手方向に間隔を空けて複数（例えば、５〜６個）の海苔養殖用種付け袋１０が連結された構成となっている。これにより、複数の海苔養殖用種付け袋１０を一体に取り扱うことができる。
海苔養殖用種付け袋１０を取付紐３４に取り付ける際には、連結用結束バンド３５が好適に用いられる。図３に示すように、連結用結束バンド３５は帯状に形成されたストラップ部３６の片面に断面三角形状等に形成された多数の係止部３７（例えば、鋸刃状）が配置されたものである。また、ストラップ部３６の基端（一端側）にはヘッド部３８が設けられており、ヘッド部３８にはストラップ部３６の他端側が挿通される挿通孔３９が形成されると共に、挿通孔３９の内部に係止部３７の一つが選択的に係止される爪状の被係止部４０が形成されている。これにより、連結用結束バンド３５のストラップ部３６を結束バンド２５で形成された環の中に通し、ヘッド部３８に挿通、結束するだけで、結束バンド２５と連結用結束バンド３５を簡単に連結することができる。そして、連結用結束バンド３５で形成された環の中に取付紐３４を通し、結び目４１を作って連結用結束バンド３５に結束することにより、連結用結束バンド３５を介して取付紐３４に海苔養殖用種付け袋１０を取り付けることができる。このように、結束バンド２５と取付紐３４の間を連結用結束バンド３５で連結することにより、取付紐３４から海苔養殖用種付け袋１０の開口部１５までの距離（海苔養殖用種付け袋１０の吊下げ高さ）を一定距離以上に保つことができる。その結果、海水１１の水位が変化しても、海苔養殖用種付け袋１０が海水１１から露出しないようにして、種貝１８から放出される胞子を開口部１５から海水１１中に確実に放出することができる。なお、連結用結束バンド３５のストラップ部３６の係止位置によって連結用結束バンド３５で形成される環の大きさが変化するので、海苔養殖用種付け袋１０の吊下げ高さを容易に調整することができる。
【００２１】
また、取付紐３４で結び目４１を作って連結用結束バンド３５に結束することにより、海苔養殖用種付け袋１０を所定の位置に固定して移動を防止することができ、複数の海苔養殖用種付け袋１０が一箇所に偏ったり、不均一に配置されたりすることがなく、その配置間隔を略一定に保って、海苔網１２に対し斑なく均一に種付けを行うことができる。
但し、連結用結束バンドの構造は上記の構造に限定されるものではなく、適宜、選択することができる。また、取付紐３４と結束バンド２５の連結には、その他の連結手段を用いてもよい。例えば、合成繊維製や合成樹脂製の紐体、針金等の線材、金属製の芯材を合成樹脂で被覆したもの（例えばビニールタイ）等を用いることができる。さらに、取付紐３４の材質や太さ等は適宜、選択することができるが、例えばポリプロピレン製のバインダー紐（１３０００デニール）が好適に用いられる。
なお、図４に示すように、海水１１中に張られる海苔網１２の下部には、所定間隔で棒状や紐状の支持部材４２が取り付けられるので、取付紐３４の両端部を支持部材４２に結着することにより、複数の海苔養殖用種付け袋１０をまとめて海苔網１２に取り付けることができ、作業効率を向上させることができる。
【００２２】
次に、海苔養殖用種付け袋の変形例について説明する。
三方が封止された表シート１３と裏シート１４の開放側端部（上端部）を収容部１６の外側に折り返す際に、図５（Ａ）に示すように、予め、表シート１３と裏シート１４の開放側端部（上端部）の両側を折り返し位置４３まで切断することにより、表裏の折り返し部２２ａを簡単に外側に折り返すことができる。これにより、図５（Ｂ）に示すように、折り返し部２２ａの下端側を表シート１３と裏シート１４に溶着部２３で溶着して保形材挿通部１９ａを形成すると同時に、保形材挿通部１９ａの両側に挿入口４４を形成することができる。挿入口４４は保形材挿通部１９ａの両側端部で大きく開口しており、保形材２１（図１（Ａ）、図２参照）の挿通作業を容易に行うことができる。ここで、表シート１３と裏シート１４の開放側端部（上端部）の両側は、図５（Ａ）、（Ｂ）に示すように、斜めに切断した方が切断が容易であり、保形材２１も挿通し易くなるが、これに限定されるものではなく、表シート１３と裏シート１４の境目を収容部１６の高さに沿うように切断してもよい。
なお、図５（Ａ）、（Ｂ）では省略したが、海苔養殖用種付け袋１０と同様に、保形材挿通部１９ａ及び収容部１６には、吊下げ孔２４及び通水孔３２を形成することができる。また、保形材２１及び結束バンド２５も海苔養殖用種付け袋１０と同様なので説明を省略する。
【００２３】
以上、本考案の実施の形態を説明したが、本考案は、上記した形態に限定されるものではなく、要旨を逸脱しない条件の変更等は全て本考案の適用範囲である。
海苔養殖用種付け袋の表シート及び裏シートは、透明で可撓性及び柔軟性を有するものが好適に用いられるが、その材質は、適宜、選択することができる。よって、低密度ポリエチレン（ＬＤＰＥ）以外にも、例えば、ポリアミド、ビニロン、ポリオレフィン等を用いることができる。また、熱可塑性の脂肪族ポリエステル、ポリ乳酸、ポリカプロラクトン、ポリビニルアルコール、酢酸セルロース等の生分解性樹脂を用いれば、使用中に落下する等して回収できなかった場合に、海中で自然分解されるので、環境保護性に優れる。
なお、収容部が透明な場合、保形材を適宜、着色することにより、開口部の位置確認が容易となり、種貝の収容作業を手早く行うことができる。
【００２４】
上記実施の形態では、三方が封止された表シートと裏シートの開放側端部（上端部）を収容部の外側に折り返して折り返し部としたが、内側に折り返してもよい。その場合、収容部の内側の上端部に保形材を長円形に配置した後、折り返し部を溶着し、保形材挿通部を形成してもよいし、折り返し部を溶着して保形材挿通部を形成した後、保形材挿通部の両端部を高さ方向に沿って切断して挿入口を形成し、保形材を挿通してもよい。
なお、上記実施の形態では、連結用結束バンドを取付紐に固定する際に、取付紐で結び目を作って連結用結束バンドに結束したが、取付紐の材質によっては、取付紐に予め所定間隔で切れ目を入れておき、連結用結束バンドのストラップ部を結束バンドで形成された環の中に通し、さらに取付紐の切れ目に通してヘッド部に挿通、結束するだけで、連結用結束バンドを介して取付紐と結束バンドを簡単に連結することができる。
また、海苔養殖用種付け構造体を支持部材に取り付ける際に、取付紐の両端部を直接、支持部材に結束する代わりに、取付紐の両端部に予め汎用の結束バンドを取り付けておけば、現場での支持部材への結束作業を簡素化することができる。
なお、結束バンド及び連結用結束バンドは、被係止部に対し、複数の係止部の一つが選択的に係止され、固定される構造であればよく、被係止部及び係止部の形状は特に限定されない。
【符号の説明】
【００２５】
１０：海苔養殖用種付け袋、１１：海水、１２：海苔網、１３：表シート、１４：裏シート、１５：開口部、１６：収容部、１８：種貝、１９、１９ａ：保形材挿通部、２０：挿入口、２１：保形材、２２、２２ａ：折り返し部、２３：溶着部、２４：吊下げ孔、２５：結束バンド、２６：ストラップ部、２７：係止部、２８：ヘッド部、２９：挿通孔、３０：被係止部、３２：通水孔、３３：海苔養殖用種付け構造体、３４：取付紐、３５：連結用結束バンド、３６：ストラップ部、３７：係止部、３８：ヘッド部、３９：挿通孔、４０：被係止部、４１：切れ目、４２：支持部材、４３：折り返し位置、４４：挿入口
【図１】
0003214226.tif 000003
【図２】
0003214226.tif 000004
【図３】
0003214226.tif 000005
【図４】
0003214226.tif 000006
【図５】
0003214226.tif 000007